(57)【特許請求の範囲】
【請求項１】
記録データが記録される情報記録媒体上の記録位置を示す記録位置情報が予め記録されている当該情報記録媒体であって、
一の前記記録位置情報に対応する前記情報記録媒体上の領域の長さに自然数を乗じて得られる領域の長さが、前記記録データを構成する単位ブロックであって当該記録データの再生時における誤り訂正の単位となる単位ブロックと、当該記録データにおける各前記単位ブロック間を接続するためのリンキング情報と、が記録されるべき当該情報記録媒体上の領域の長さに一致するように、前記記録位置情報が記録されていることを特徴とする情報記録媒体。
【請求項２】
アドレス情報が予め記録されている情報記録媒体であって、
記録データに対する誤り訂正の単位となる単位ブロックを記録する単位ブロック領域と、当該記録データにおける各前記単位ブロック間を接続するためのリンキング領域と、を備え、
ｎを自然数、ＡＵを一の前記アドレス情報を記録するアドレス領域の長さ、ＥＢを一の前記単位ブロック領域の長さ、ＲＩを一の前記リンキング領域の長さとすると、
ｎ×ＡＵ＝ＥＢ＋ＲＩ
であることを特徴とする情報記録媒体。
【請求項３】
前記リンキング領域は、隣接する前記単位ブロックの全ての境界部に挿入されることを特徴とする請求項２に記載の情報記録媒体。
【請求項４】
前記単位ブロック領域には、それぞれ所定数のフレームが分割配置され、
前記リンキング領域には、所定数のフレームが配置されていることを特徴とする請求項２に記載の情報記録媒体。
【請求項５】
前記単位ブロックはＥＣＣブロックであり、該ＥＣＣブロックはシンクコードが付加されたシンクフレームに分割されたフォーマットを有し、前記リンキング領域はシンクコードが付加された所定数のシンクフレームが配置されることを特徴とする請求項２に記載の情報記録媒体。
【請求項６】
前記リンキング領域は、３個以内のシンクフレームが配置されることを特徴とする請求項５に記載の情報記録媒体。
【請求項７】
前記ＥＣＣブロックは１６セクタから構成され、各セクタはそれぞれシンクコードが付加された２６個のシンクフレームから構成されることを特徴とする請求項５に記載の情報記録媒体。
【請求項８】
前記リンキング領域には、再生制御に必要な制御情報が記録されていることを特徴とする請求項２に記載の情報記録媒体。
【請求項９】
前記アドレス情報は、対応する前記アドレス領域内の記録トラックを蛇行させることにより記録されていることを特徴とする請求項２に記載の情報記録媒体。
【請求項１０】
請求項１乃至９のいずれか一項に記載の情報記録媒体に前記記録データを記録する情報記録装置であって、
前記単位ブロックからなる前記記録データを構成する記録データ構成手段と、
前記リンキング情報を生成するリンキングデータ生成手段と、
前記記録位置情報を前記情報記録媒体から検出する検出手段と、
前記検出された記録位置情報に基づき、一の前記記録位置情報に対応する前記情報記録媒体上の領域の長さに自然数を乗じて得られる領域の長さが、前記単位ブロックと、前記リンキング情報と、が記録されるべき当該情報記録媒体上の領域の長さに一致するように、前記単位ブロック及び前記リンキング情報を前記情報記録媒体に記録する記録手段と、
を備えることを特徴とする情報記録装置。
【請求項１１】
記録データの記録位置を示すアドレス情報が予め記録されている情報記録媒体に対して記録を行う情報記録装置であって、
入力データに対する誤り訂正の単位となる単位ブロック毎に、前記記録データを構成する記録データ構成手段と、
前記単位ブロック間の境界部に挿入するリンキング領域を構成する第１のリンキング情報と第２のリンキング情報を生成するリンキングデータ生成手段と、
前記第１のリンキング情報、前記単位ブロックの記録データ、前記第２のリンキング情報の順に、当該第１のリンキング情報、当該単位ブロックの記録データ、当該第２のリンキング情報が記録される領域の長さが、前記アドレス情報が記録される領域の長さの自然数倍となるように記録制御する記録制御手段と、
を備えることを特徴とする情報記録装置。
【請求項１２】
前記リンキング領域は、前記単位ブロック間の全ての境界部に挿入されることを特徴とする請求項１１に記載の情報記録装置。
【請求項１３】
前記単位ブロックはＥＣＣ（Error Control Code）ブロックであり、該ＥＣＣブロックはシンクコードが付加されたシンクフレームに分割されたフォーマットを有し、前記リンキング領域はシンクコードが付加された所定数のシンクフレームが配置されることを特徴とする請求項１１に記載の情報記録装置。
【請求項１４】
前記リンキング領域には、３個以内のシンクフレームが配置されることを特徴とする請求項１３に記載の情報記録装置。
【請求項１５】
前記ＥＣＣブロックは１６セクタから構成され、各セクタはそれぞれシンクコードが付加された２６個のシンクフレームから構成されることを特徴とする請求項１３に記載の情報記録装置。
【請求項１６】
請求項１乃至９のいずれか一項に記載の情報記録媒体に前記記録データを記録する記録手段を備えることを特徴とする情報記録装置。
【請求項１７】
記録データの記録位置を示すアドレス情報が予め記録されている情報記録媒体に対して記録を行う情報記録方法であって、
入力データに対する誤り訂正の単位となる単位ブロック毎に、前記記録データを構成するステップと、
前記単位ブロック間の境界部に挿入するリンキング領域を構成する第１のリンキング情報と第２のリンキング情報を生成するステップと、
前記第１のリンキング情報、前記単位ブロックの記録データ、前記第２のリンキング情報の順に、当該第１のリンキング情報、当該単位ブロックの記録データ、当該第２のリンキング情報が記録される領域の長さが、前記アドレス情報が記録される領域の長さの自然数倍となるように記録制御するステップと、
を備えることを特徴とする情報記録方法。
【請求項１８】
前記リンキング領域は、前記単位ブロック間の全ての境界部に挿入されることを特徴とする請求項１７に記載の情報記録方法。
【請求項１９】
前記単位ブロックはＥＣＣブロックであり、該ＥＣＣブロックはシンクコードが付加されたシンクフレームに分割されたフォーマットを有し、前記リンキング領域はシンクコードが付加された所定数のシンクフレームが配置されることを特徴とする請求項１７に記載の情報記録方法。
【請求項２０】
前記リンキング領域には、３個以内のシンクフレームが配置されることを特徴とする請求項１９に記載の情報記録方法。
【請求項２１】
前記ＥＣＣブロックは１６セクタから構成され、各セクタはそれぞれシンクコードが付加された２６個のシンクフレームから構成されることを特徴とする請求項１９に記載の情報記録方法。
【発明の詳細な説明】
【０００１】
【発明の属する技術分野】
本発明は、記録可能な情報記録媒体に対しリンキング領域を挿入してデータ記録を行う情報記録装置及び情報記録方法と、前記リンキング領域が設けられた情報記録媒体の技術分野に属するものである。
【０００２】
【従来の技術】
ＤＶＤ（Digital  Versatile  Disc）に代表される大容量の情報記録媒体の普及が進んでいるが、最近ではデータを記録可能な情報記録媒体に対する要望が高まっている。例えば、データを１回のみ書き込み可能なＤＶＤ−Ｒ（DVD-Recordable）や、データを繰り返し書き換え可能なＤＶＤ−ＲＷ（DVD‐Re-Recordable）などの記録可能なディスクに関する規格が知られている。こうした記録可能なディスクを用いた記録を行う場合、既にデータが書き込まれた領域に続いて別のデータを書き込む状況では、双方のデータ部分の境界部にリンキング領域を設ける必要がある。すなわち、前回の記録済みデータの直後から新たにデータを記録し始めると、再生時にタイミングのずれに起因するデータエラーが発生するため、新たな追記データの先頭部分を所定の間隔だけ離して配置し、正常な再生を保証するものである。
【０００３】
【発明が解決しようとする課題】
ＤＶＤフォーマットでは、ＥＣＣブロックを単位として誤り訂正処理が施されるので、光ディスクの追記部分には、前回の記録済みデータに含まれる最後のＥＣＣブロックと、新たな追記データに含まれる最初のＥＣＣブロックが隣接される配置となる。通常は、新たな追記データに含まれる最初のＥＣＣブロックにおいて、先頭付近の所定範囲が上述のリンキング領域として設定される。しかしながら、このようにリンキング領域を設定する場合には、ＥＣＣブロックのうちエラー訂正に利用可能なサイズが減少するので、その分エラー訂正能力が劣化することが問題となる。一方、このようなエラー訂正能力の劣化を避けるため、追記データの先頭のＥＣＣブロックには、本来記録するデータを書き込まないようすることも可能である。しかし、ＥＣＣブロックはかなり大きいデータサイズを有するので（１６セクタ長＝３８６８８バイト長）、追記データを記録する度に先頭のＥＣＣブロックを使用できないことになると、記録領域の無駄な部分が多くなり、ディスクに記録可能なデータ容量の減少を招くことが問題となる。
【０００４】
そこで、本発明はこのような問題に鑑みなされたものであり、記録可能な情報記録媒体への追記データの記録時にリンキング領域を形成するに際し、エラー訂正能力の劣化を回避して信頼性を向上させるとともに、記録領域の無駄を少なくして記憶容量の有効活用を図ることが可能な情報記録再生装置等を提供することを目的とする。
【０００５】
【課題を解決するための手段】
上記課題を解決するために、請求項１に記載の発明は、記録データが記録される情報記録媒体上の記録位置を示す記録位置情報が予め記録されている当該情報記録媒体であって、
一の前記記録位置情報に対応する前記情報記録媒体上の領域の長さに自然数を乗じて得られる領域の長さが、前記記録データを構成する単位ブロックであって当該記録データの再生時における誤り訂正の単位となる単位ブロックと、当該記録データにおける各前記単位ブロック間を接続するためのリンキング情報と、が記録されるべき当該情報記録媒体上の領域の長さに一致するように、前記記録位置情報が記録されている。
【０００６】
上記課題を解決するために、請求項２に記載の発明は、アドレス情報が予め記録されている情報記録媒体であって、記録データに対する誤り訂正の単位となる単位ブロックを記録する単位ブロック領域と、当該記録データにおける各前記単位ブロック間を接続するためのリンキング領域と、を備え、ｎを自然数、ＡＵを一の前記アドレス情報を記録するアドレス領域の長さ、ＥＢを一の前記単位ブロック領域の長さ、ＲＩを一の前記リンキング領域の長さとすると、ｎ×ＡＵ＝ＥＢ＋ＲＩであるように構成される。
【０００７】
上記課題を解決するために、請求項１０に記載の発明は、請求項１乃至９のいずれか一項に記載の情報記録媒体に前記記録データを記録する情報記録装置であって、前記単位ブロックからなる前記記録データを構成する記録データ構成手段と、前記リンキング情報を生成するリンキングデータ生成手段と、前記記録位置情報を前記情報記録媒体から検出する検出手段と、前記検出された記録位置情報に基づき、一の前記記録位置情報に対応する前記情報記録媒体上の領域の長さに自然数を乗じて得られる領域の長さが、前記単位ブロックと、前記リンキング情報と、が記録されるべき当該情報記録媒体上の領域の長さに一致するように、前記単位ブロック及び前記リンキング情報を前記情報記録媒体に記録する記録手段と、を備える。
【０００８】
上記課題を解決するために、請求項１１に記載の発明は、記録データの記録位置を示すアドレス情報が予め記録されている情報記録媒体に対して記録を行う情報記録装置であって、入力データに対する誤り訂正の単位となる単位ブロック毎に、前記記録データを構成する記録データ構成手段と、前記単位ブロック間の境界部に挿入するリンキング領域を構成する第１のリンキング情報と第２のリンキング情報を生成するリンキングデータ生成手段と、前記第１のリンキング情報、前記単位ブロックの記録データ、前記第２のリンキング情報の順に、当該第１のリンキング情報、当該単位ブロックの記録データ、当該第２のリンキング情報が記録される領域の長さが、前記アドレス情報が記録される領域の長さの自然数倍となるように記録制御する記録制御手段と、を備える。
【０００９】
上記課題を解決するために、請求項１７に記載の発明は、記録データの記録位置を示すアドレス情報が予め記録されている情報記録媒体に対して記録を行う情報記録方法であって、入力データに対する誤り訂正の単位となる単位ブロック毎に、前記記録データを構成するステップと、前記単位ブロック間の境界部に挿入するリンキング領域を構成する第１のリンキング情報と第２のリンキング情報を生成するステップと、前記第１のリンキング情報、前記単位ブロックの記録データ、前記第２のリンキング情報の順に、当該第１のリンキング情報、当該単位ブロックの記録データ、当該第２のリンキング情報が記録される領域の長さが、前記アドレス情報が記録される領域の長さの自然数倍となるように記録制御するステップと、を備える。
【００４６】
【発明の実施の形態】
以下、本発明の好適な実施の形態を図面に基づいて説明する。本実施形態においては、ＤＶＤフォーマットに従ってディジタルデータを記録可能な情報記録媒体を用いて記録及び再生を行う情報記録再生装置に対し本発明を適用する場合の構成を説明する。
【００４７】
本実施形態においては、記録可能なＤＶＤ−ＲＷ／ＤＶＤ−Ｒなどのディスクへの記録時に、後述のようにリンキング領域を設け、記録済みデータに続いて追記データを記録する場合には、その境界部にリンキング領域を挟んで記録が行われる。そして、このように記録可能なディスクに設けられるリンキング領域の構造は、従来とは異なる特徴を備えている。
【００４８】
初めに、実施形態に係る情報記録再生装置の概要構成を及びその動作について、図１を用いて説明する。なお、図１は、本発明の第１の実施形態に係わる情報記録再生装置の概略構成を示すブロック図である。
【００４９】
図１に示すように、実施形態に係る情報記録再生装置１は、上記記録可能なＤＶＤ−ＲＷ／ＤＶＤ−Ｒなどのディスク２に対するデータ記録／再生用の光ピックアップ３を備えている。
【００５０】
また、情報記録再生装置１は、外部から入力された記録すべき情報（例えば、情報記録再生装置１を使用するユーザから入力された情報（画像情報、音声情報および画像・音声混在情報等、以下、ユーザデータとする）に対応するアナログ信号をデジタル化すると共に、当該デジタル化されたユーザデータに対して誤り訂正処理等を含む符号化処理を施して、ＥＣＣブロックを構成するＥＣＣブロック構成部５と、このＥＣＣブロック構成部５によりＥＣＣブロック化された記録データに対してリンキング領域を挿入するリンキング領域挿入部６と、リンキング領域が挿入された記録データを、その記録すべき情報に対応する形状のビットとして光ピックアップ３を介してディスク２上に記録するためのデータ記録部７と、上記記録すべき情報の光ディスク２への記録時において未記録状態の光ディスク２における記録トラックからの反射光に基づいて当該記録トラックにおける後述するウォブリングに対応するウォブリング検出信号を検出してＣＰＵ２０及びＰＬＬ（Phase  Locked  Loop）に出力するウォブル検出部２２と、当該ウォブリング検出信号に基づいて上記データ記録部７、リンキング領域挿入部６及びＥＣＣブロック構成部５における夫々の動作の基準となる記録クロック信号を生成して当該データ記録部７、リンキング領域挿入部６及びＥＣＣブロック構成部５に出力する上記ＰＬＬ２３と、上記ウォブリング検出信号に基づいて後述する態様で未記録状態の光ディスク２上に記録されているアドレス情報を検出し、上記データ記録部７に出力する上記ＣＰＵ２０と、を備えている。
【００５１】
すなわち、ディスク２は、図示しない回転駆動部により回転駆動されており、光ピックアップ３は、データ記録部７から送られた記録データを受信し、そのデータ記録部７の制御に基づいて、光ピックアップ３内の図示しない半導体レーザ等の光源を駆動してレーザ光等の光ビームを生成してディスク２の情報記録面に照射し、記録データに対応するピットを形成して記録データをディスク２上に記録する。
【００５２】
このとき、当該記録データの記録に先立ち、光ピックアップ３は上記光ビームの光ディスク２からの反射光を受光し、上記記録トラックにおけるウォブリングの周期を検出して対応する上記ウォブリング検出信号をＰＬＬ２３及びＣＰＵ２０に出力する。
【００５３】
そして、ＣＰＵ２０は当該ウォブリング検出信号に基づいて記録トラック上のアドレス情報を検出し、これをデータ記録部７へ出力する。これにより、データ記録部７は、当該出力されてきたアドレス情報に基づいて記録データを記録すべき光ディスク２上の記録位置を認識し、上述した如く記録データの記録を行う。
【００５４】
さらに、情報記録再生装置１は、光ピックアップ２から出力された、前記ディスク２からの反射光に対応する光信号を受信して上記反射光に対応する再生信号を生成する再生信号生成部１１と、再生された再生信号を２値化処理して２値化信号を生成する２値化処理部１２と、生成された２値化信号に基づいてシンクパターンを生成するシンクパターン生成部１３とを備えている。
【００５５】
また、情報記録再生装置１は、シンクパターン生成部１３および情報記録再生装置１の他の構成要素（図１に示すブロック構成要素を含む）に対して動作基準となるクロック信号を供給するＰＬＬ１４と、このＰＬＬ１４に対する動作制御用のホールド信号を発生するホールド信号発生部１５と、シンクパターン生成部１３により生成されたシンクパターンに基づいて再生データを読み取って出力するデータ読取部１６とを備えている。
【００５６】
さらに、情報記録再生装置１は、光ピックアップ２、ＥＣＣブロック構成部５〜データ記録部７に対してデータ通信可能に接続されており、上記光ピックアップ２、ＥＣＣブロック構成部５〜データ記録部７を介した上述した情報記録処理全体を統括的に制御する上記ＣＰＵ２０を備えている。
【００５７】
このＣＰＵ２０は、シンク検出部１３〜データ読取部１６に対してデータ通信可能に接続されており、上述したデータ記録部７による情報記録処理と共に上記光ピックアップ２、シンク検出部１３〜データ読取部１６を介した上述した情報再生処理全体を統括的に制御する機能も有している。
【００５８】
また、情報記録再生装置１は、ＣＰＵ２０がアクセス自在なメモリ２１を備えており、ＣＰＵ２０は、その動作に必要なデータをメモリ２１に対して書き込みおよび読み出し自在となっている。また、メモリ２１には、ＣＰＵ２０に上記情報記録／再生処理機能を実現させるためのプログラムが記憶されている。
【００５９】
以下、図２〜図５を用いて、本実施形態における上記リンキング領域を含むデータ構造の概要について説明する。
【００６０】
図２は、ＤＶＤフォーマットにおけるＥＣＣブロックのデータ構成を示す図である。このＥＣＣブロックは、入力されたユーザデータに誤り訂正を施す際の単位ブロックとしての役割を担う。図２に示すように、ディスク上で連続配置される１６セクタ（図１ではセクタ０〜１５）分のデータが１ＥＣＣブロックに対応する。まず、記録すべきユーザデータに対し同一のスクランブルを施した後、パリティを付加してインターリーブを施すことにより、ＥＣＣブロックが構成される。なお、図２において、ＥＣＣブロックに含まれる各セクタは１８２バイト×１３行の構成であって、１ＥＣＣブロックは１８２バイト×２０８行の構成となる。
【００６１】
図３は、上記セクタのデータ構成を示す図である。図２に示すように、１セクタを構成する１３行を２等分し、各々の９１バイト（１４５６ビット）に対し３２ビットのシンクコード（ＳＹ０〜ＳＹ７）が付加される。そして、各シンクコードにより区切られたデータ部分によりシンクフレームが構成される。このように、シンクコードは再生時にシンクフレームを判別するための識別情報としての役割を担っている。図３においては、各１行は２つのシンクフレームからなり、１セクタは全部で２６個のシンクフレームを含んで構成される。その結果、１ＥＣＣブロックには、全部で１６×２６個のシンクフレームが分割配置されたデータ構造を有することになる。
【００６２】
上記のシンクコードには、チャンネルビット幅１４Ｔのパルスが埋め込まれ、データ部分に出現する最長チャンネルビット幅１１Ｔより長いパターンを有するので、データ部分と区別して識別できる。また、シンクコードに対し先頭の９チャンネルビットに各々異なるパターンを持たせているので、８通りのシンクコードＳＹ０〜ＳＹ７が存在する。そして、図３に示すように、ＳＹ０〜ＳＹ７を配置して、セクタ内のデータ位置を識別できるようになっている。
【００６３】
ここで、本実施形態においては、図３に示すような標準的なシンクコードＳＹ０〜ＳＹ７のパターンに加え、リンキング領域で用いる特別なシンクコードのパターンを設けている。
【００６４】
図４は、ディスク上で記録済みデータと追記データの境界部にリンキング領域が挿入された状態を示す図である。図４に示すリンキング領域（斜線にて示す）は、記録済みデータの最後のＥＣＣブロックと追記データの先頭のＥＣＣブロックに挟まれる２シンクフレーム分の領域に挿入されている。前後のＥＣＣブロックは、図３のデータ構成となるのに対し、リンキング領域のシンクコードＳＹＸ、ＳＹＹの少なくともいずれかは、通常のシンクコードＳＸ０〜ＳＹ７とは異なる特別なパターンを用いている。
【００６５】
すなわち、リンキング領域においては、第１のシンクフレームにシンクコードＳＹＸが付加され、第２のシンクフレームにシンクコードＳＹＹが付加される。シンクコードＳＹＸ、ＳＹＹは、少なくともいずれかが上記通常のシンクコードＳＹ０〜ＳＹ７とは異なるパターンであり区別することができる。また、リンキング領域に含まれる２つのシンクフレームのデータ部分には、本来のデータを記録する代わりに、図４に示すようなダミーデータが書き込まれるか、あるいは未記録とされる。
【００６６】
なお、本実施形態ではデータ構造の簡素化のため、ディスク上で隣接するＥＣＣブロックの全ての境界部にリンキング領域を挿入する。このようにしても、ディスクへの記録時に記録済みデータと追記データの間にリンキング領域が常に挿入されるとともに、１６×２６個のシンクフレームを含むＥＣＣブロックに対し、リンキング領域は僅かに２シンクフレーム分のサイズであるため、ディスクの記憶容量の無駄は小さくて済む。ただし、上述のようにＥＣＣブロックの全ての境界部にリンキング領域を挿入する構成に限られず、ディスクの隣接するＥＣＣブロックの境界部のうち選択的にリンキング領域を設けるよう構成にしても差し支えない。
【００６７】
図５は、図４に示すリンキング領域を含むデータ部分をディスクのデータ配列に従って表した図である。図５において、データＡが記録済みデータであってデータＡの最後がＥＣＣブロック（ｎ−１）であるとする。また、データＡに後続するデータＢが追記データであって、データＢの先頭がＥＣＣブロック（ｎ）であるとする。このとき、図５に示すように、ＥＣＣブロック（ｎ−１）とＥＣＣブロック（ｎ）の境界部には、上述の２つのシンクフレームからなるリンキング領域が挿入される。すなわち、データＡがＥＣＣブロック（ｎ−１）で終端に達するとリンキング領域に移行するとともに、リンキング領域に後続してＥＣＣブロック（ｎ）から開始するデータＢに移行するようなデータ構造になっている。このように、データＡとデータＢの接続部分では、ディスク上のＥＣＣブロックの連続性がいったん途切れた状態でリンキング領域が挿入されることになる。
【００６８】
また、図５に示すようにデータが配列されたディスクを再生する場合は、データＡに対する再生動作を行ってＥＣＣブロック（ｎ−１）に達し、データＡが終了した後、リンキング領域のシンクコードＳＹＸが検出される。シンクコードＳＹＸは、上述したようにシンクコードＳＹ０〜ＳＹ７と異なるパターンであるため、容易にリンキング領域の位置を判別することができる。このシンクコードＳＹＸを再生時に検出するための具体的な構成については後述する。なお、リンキング領域の判別のためにはシンクコードＳＹＹを検出してもよいが、本実施形態ではシンクコードＳＹＸを検出してリンキング領域の判別を行う。
【００６９】
次に、上記ディスク２における記録トラックの実施形態について、図６を用いて説明する。なお、図６は、記録データが記録されていない状態のディスク２における記録トラックの構成（拡大図）と上述してきた記録データのデータ構成との関係を示す模式図である。
【００７０】
図６最上段に示すように、実施形態のディスク２における記録トラックＴＲには記録データの記録位置を示すアドレス情報が予め記録されている。そして、当該記録トラックＴＲは、その長手方向（すなわち、ディスク２の周方向）において、一つのアドレス情報に対応するアドレスユニットＡＵに分割されている。すなわち、例えば、アドレスｎなる値を有するアドレス情報に対応するアドレスユニットＡＵ内に当該アドレスｎの位置に記録されるべき記録データが記録されるのである。なお、このとき、各アドレスユニットＡＵに対応するアドレス情報は、対応するアドレスユニットＡＵ内の記録トラックＴＲをいわゆるウォブリング（蛇行）させ、且つ対応するアドレス情報によりそのウォブリングの周期を位相変調することにより記録されている。
【００７１】
そして、実施形態のディスク２においては、図６に示すように、一のＥＣＣブロックを構成する最終のデータが記録されるアドレスユニットＡＵと、当該一のＥＣＣブロックに後続すべき次のＥＣＣブロックを構成する最初のデータが記録されるアドレスユニットＡＵと、の境界部分が、当該各ＥＣＣブロックを記録後におけるリンキング領域を構成するシンクフレームの境界部分と一致するように、当該アドレスユニットＡＵが形成されている。
【００７２】
換言すれば、図６に示すように、ＥＣＣブロック（ｎ−１）を構成する最終のデータにシンクコードＳＹＸを後続させたときのそのシンクコードＳＹＸを含むリンキング領域内のシンクフレームの後端が記録されるべき位置が、ＥＣＣブロック（ｎ−１）に対応する複数のアドレスユニットＡＵの内の最後のアドレスユニットＡＵの後端と一致し、更に、ＥＣＣブロック（ｎ）を構成する最初のデータにシンクコードＳＹＹを先行させたときのそのシンクコードＳＹＹの前端が記録されるべき位置が、ＥＣＣブロック（ｎ）に対応する複数のアドレスユニットＡＵの内の最初のアドレスユニットＡＵの前端と一致するように、当該各アドレスユニットＡＵが形成されている。
【００７３】
なお、図６は、一のＥＣＣブロックにその前後に記録されるリンキング領域に記録される情報を加えた記録データが記録されるべきディスク２上の領域が四つのアドレスユニットＡＵに相当している場合を図示しているが、これ以外に、ＥＣＣブロックとリンキング領域に記録される情報とを加えた記録データが記録されるべきディスク２上の領域が、一つ又は複数のアドレスユニットＡＵに相当していればよいこととなる。
【００７４】
以上のように、本実施形態に係る情報記録再生装置は、ＤＶＤ−ＲＷ／ＤＶＤ−Ｒに対し上述のようなデータ構造の記録データを構成する記録データ構成手段として機能するとともに、記録データに上述のような特徴を持つリンキング領域を挿入するリンキング領域挿入手段として機能する。また、本実施形態に係る情報記録再生装置は、ＤＶＤ−ＲＷ／ＤＶＤ−Ｒに対する追記データを記録する際に上述のように制御する記録制御手段として機能する。
【００７５】
次に、本実施形態に係る情報記録再生装置において光ディスク２に記録されているデータを再生する際の上記リンキング領域の検出動作について、図７を用いて説明する。図７は、情報記録再生装置各部にて出力される信号のうち、リンキング領域付近の波形のパターンを示す図である。
【００７６】
図１に示す情報記録再生装置１の構成において、ディスク２としては、データを１回のみ書き込み可能なＤＶＤ−Ｒ、あるいはデータを繰り返し書き換え可能なＤＶＤ−ＲＷを用いることができる。装着されたディスク２は回転駆動されつつ、光ピックアップ１０によりレーザビームを照射され、記録トラックからの反射光がディテクタで受光され受光信号が出力される。光ピックアップ１０からの受光信号は、再生信号生成部１１に入力され、ピットの有無に応じてレベルが変化する再生信号が生成される。例えば、光ピックアップ１０のディテクタが４分割形状であれば、４つの領域からの受光信号の和をとることにより再生信号が得られる。
【００７７】
ここで、図７の上側には、図５に示すようなディスク２のリンキング領域を含むデータ部分を再生した場合の再生信号の波形パターンを示している。図７に示される再生信号は、リンキング領域通過前のデータＡの部分と、リンキング領域通過後のデータＢの部分では、いずれもレベルが安定しているのに対し、リンキング領域に合致するデータＡとデータＢの接続部分では、再生信号のレベルが乱れていることがわかる。これは、追記データを記録する際に記録済みデータとの境界部分で前後のデータが不確定になるため、データ再生の同期が失われることに起因する。よって、本実施形態では、リンキング領域の近辺において以下に述べる構成によりデータ再生の同期を確保する。
【００７８】
次に、２値スライス部１２は、再生信号生成部１１から出力される再生信号を、所定のレベルでスライスして２値化し、ディスク１の記録データのデータパターンに対応する２値化信号を生成する。そして、シンク検出部１３は、２値スライス部１２からの２値化信号に基づいて、通常のシンクパターンＳＹ０〜ＳＹ７又はリンキング領域に含まれるシンクパターンＳＹＸ、ＳＹＹをそれぞれ区別可能に検出する。シンク検出部１３からは、リンキング領域のシンクパターンＳＹＸが検出されるタイミングを判別するためのＳＹＸ検出信号が出力される。図７に示すように、ＳＹＸ検出信号は、２値化信号に含まれるデータパターンにおいてシンクパターンＳＹＸの検出タイミングｔ０から短時間ハイとなるパルス信号である。
【００７９】
一方、ＰＬＬ１４は、２値スライス部１２からの２値化信号を入力し、再生データに同期するクロックを抽出するクロック抽出手段としての機能する。ＰＬＬ１４は発振回路を内蔵し、２値化信号に連動してレベルが変化するＰＬＬエラー信号により発信周波数及び位相が制御される。ＰＬＬ１４において動作開始から所定の引き込み時間が経過するとロック状態となり、それ以降は安定なクロックが出力される。ＰＬＬ１４から出力されるクロックは、情報記録再生装置の各部に供給されるとともに、シンク検出部１３に供給されてシンクコードＳＹＸの検出動作時の同期基準として用いられる。
【００８０】
ホールド信号発生部１５は、シンク検出部１３から出力されるＳＹＸ検出信号に基づいてＰＬＬ１４に供給するためのホールド信号を生成する。このホールド信号は上記ＰＬＬエラー信号の状態を制御する信号であり、ＳＹＸ検出信号によりシンクコードＳＹＸが検出されたことが判別されたとき、リンキング領域においてＰＬＬエラー信号のレベルを保持すべき所定の期間を判別するための信号である。
【００８１】
ここで、図７に上記ホールド信号の波形パターンを示している。図７に示されるホールド信号は、上記ＳＹＸ検出信号の立ち下がりタイミングｔ１で立ち上がるとともに、一定のホールド時間Ｔａが経過するまでハイレベルを保持した後、タイミングｔ２で立ち下がる波形パターンを有している。そして、このホールド信号はＰＬＬ１４に供給されるので、図７の下側に示すように、ホールド時間Ｔａの間、ＰＬＬエラー信号が一定値に保たれる。
【００８２】
一方、タイミングｔ１以前は、ＰＬＬ１４の制御状態に応じてＰＬＬエラー信号の波形が変化する。そして、タイミングｔ２ではＰＬＬ１４のロックが外れた状態となっているので、タイミングｔ２から所定の引き込み時間Ｔｂが経過するタイミングｔ３までＰＬＬ１４の新たな引き込み動作が行われ、タイミングｔ２以降は再びＰＬＬ１４の制御状態に応じてＰＬＬエラー信号の波形が変化する。なお、引き込み動作時においてもＰＬＬ１４の周波数は適切に設定されているので、引き込み時間Ｔｂは、ＰＬＬ１４の位相を合わせるのに必要な時間となる。
【００８３】
次に、データ読取部１６は、シンク検出部１３によって検出されたシンクコードにより区別されるシンクフレームに対し、シンクコードに後続するデータ部分を読取って再生データとして出力する。データ読取り部１６においては、データの読取りに必要なエラー訂正処理等の各種信号処理が施される。
【００８４】
図７に示すリンキング領域付近の各波形パターンによれば、タイミング条件としてリンキング領域の終端位置がタイミングｔ３経過前となるように設定する必要がある。まず、ホールド時間Ｔａは、少なくとも再生信号において上述のように波形が乱れた部分を避けることができる程度の時間に設定される。また、引き込み時間Ｔｂは、ＰＬＬ１４の帯域などの特性に基づいて定まる。従って、ホールド時間ＴａとＰＬＬ１４の引き込み時間Ｔｂを考慮して、リンキング領域の長さを設定する必要がある。具体的には、リンキング領域の長さを１シンクフレームに設定すると、一般には引き込み時間Ｔｂが短縮されてＰＬＬ１４の帯域が広くなり過ぎるため、リンキング領域の長さを２シンクフレーム以上に設定することが望ましい。しかし、ＰＬＬ１４の特性が確保されるのであれば、リンキング領域を１シンクフレームとすることも可能である。一方、リンキング領域の長さを必要以上に長く設定する場合は、ディスク１の記憶容量を圧迫するので、３シンクフレーム分以内に設定することが望ましい。
【００８５】
次に、本実施形態の変形例として、上記のリンキング領域を再生専用のＤＶＤ−ＲＯＭに適用した場合の構成を説明する。この変形例においては、ＤＶＤ−ＲＯＭに対し本発明を適用することにより、上記の記録可能なＤＶＤ−ＲＷ／ＤＶＤ−ＲとＤＶＤ−ＲＯＭの互換性を確保することを目的とする。
【００８６】
図８は、上記変形例のＤＶＤ−ＲＯＭにおいて、上記のリンキング領域を含むデータ部分を図５と同様のデータ配列に従って表した図である。図８において、図５と異なる点は、特定の役割を担うサブコードが記録されたサブコード領域としてリンキング領域を利用することである。なお、それ以外の点については、図５の場合と同様であり、更に図２〜４のデータ構造についても基本的に共通であるが、リンキング領域に含まれる２つのシンクフレームのデータ部分には、ダミーデータの代わりに上述のサブコードが書き込まれる。
【００８７】
上記ＤＶＤ−ＲＯＭのサブコード領域には、本来のデータは記録されないため冗長な領域であるが、再生制御に必要な各種制御情報をサブコードとして記録することができる。例えば、記録データに施すべきスクランブルの初期値をサブコードとして書き込んでもよい。すなわち、一般にはスクランブルの初期値は記録データの記録位置に基づいて求められるが、予めサブコードとして記録されていればスクランブルの初期値を簡易に決定することができる。このように各種制御情報をサブコード領域に記録する場合、ＤＶＤ−ＲＯＭの再生動作時にサブコード領域を通常通り読み取る必要があるが、シンクコードＳＹＸ（又はＳＹＹ）を検出することにより所望のサブコードであることが識別できる。
【００８８】
なお、上記の変形例に対応するＤＶＤ−ＲＯＭを再生する情報再生装置は、図３と同様に構成により上記のようにリンキング領域を検出することができる。なお、ＤＶＤ−ＲＯＭの再生時に常に適正なクロック抽出が保証される場合は、シンクコードＳＹＸを検出するだけで、ホールド信号発生部１５は特に設けなくてもよい。
【００８９】
以上説明したように、本実施形態に係る情報記録再生装置によれば、リンキング領域をＥＣＣブロックに加えた領域を考慮して予めアドレス情報が記録されているディスク２への記録時において、各ＥＣＣブロックの境界部に、２シンクフレーム分のリンキング領域を挿入し、特別なパターンを有するシンクコードＳＹＸ、ＳＹＹを付加するとともに、ディスク再生時にシンクコードＳＹＸを検出してリンキング領域の位置を判別し、ＰＬＬ１４に対しリンキング領域でホールド状態とし、後続のデータ部分で新たに引き込み動作を行うように構成される。かかる構成により、ＥＣＣブロック内部にリンキング領域が形成されないので、エラー訂正能力の劣化が抑えられて記録データの信頼性を向上させることができ、また、ＥＣＣブロックの全体がデータ記録に使用できなくなることもない。そして、ＥＣＣブロックに比べ十分に小さいデータ部分をリンキング領域として用いるため、ディスク容量の無駄を少なくして当該ディスク容量の有効活用を図ることが可能となる。また、再生時には、シンクコードＳＸＹを検出することにより確実にリンキング領域の位置を判別でき、リンキング領域の位置を反映してＰＬＬ１４を適切に制御するので、安定なクロック抽出を行うなど再生データの信頼性を高めることができる。また、ＤＶＤ−Ｒ、ＤＶＤ−ＲＷなどの記録可能なディスクと、ＤＶＤ−ＲＯＭなどの再生専用のディスクとの互換性を確保することも可能であり利便性が高い。
【００９０】
なお、上記実施形態では、ＤＶＤフォーマットに対応する情報記録再生装置等に対し本発明を適用する場合を説明したが、これに限られず上述のリンキング領域を設けることが可能な記録フォーマットに対応する情報記録再生装置に対し広く本発明を適用することができる。
【図面の簡単な説明】
【図１】  本実施形態に係る情報記録再生装置の概要構成を示すブロックである。
【図２】  ＤＶＤフォーマットにおけるＥＣＣブロックのデータ構成を示す図である。
【図３】  ＥＣＣブロックに含まれるセクタのデータ構成を示す図である。
【図４】  ディスク上で記録済みデータと追記データの境界部にリンキング領域が挿入された状態を示す図である。
【図５】  リンキング領域を含むデータ部分をディスクのデータ配列に従って表した図である。
【図６】  本実施形態に係るディスクの構成を示す図である。
【図７】  本実施形態に係る情報記録再生装置各部にて出力される信号のうち、リンキング領域付近の波形のパターンを示す図である。
【図８】  本実施形態の変形例のＤＶＤ−ＲＯＭにおいて、リンキング領域を含むデータ部分を図４と同様のデータ配列に従って表した図である。
【符号の説明】
１    情報記録再生装置
２    ディスク
５    ＥＣＣブロック構成部
６    リンキング領域挿入部
７    データ記録部
１０    光ピックアップ
１１    再生信号生成部
１２    ２値スライス部
１３    シンク検出部
１４、２３    ＰＬＬ
１５    ホールド信号発生部
１６    データ読取部
２０    ＣＰＵ
２１    メモリ
２２    ウォブル検出部
ＡＵ    アドレスユニット
ＴＲ    記録トラック
【図１】
0003708483.tif 000002
【図２】
0003708483.tif 000003
【図３】
0003708483.tif 000004
【図４】
0003708483.tif 000005
【図５】
0003708483.tif 000006
【図６】
0003708483.tif 000007
【図７】
0003708483.tif 000008
【図８】
0003708483.tif 000009